(57)【要約】【課題】  ＵＳＢおよび他のコントローラ、コネクタを具備する着脱式メモリカードおよび動作方法を提供する。【解決手段】  ＵＳＢコントローラーモジュールパワーコンタクトおよび着脱式メモリカードに相互排他的に印加される分離された電圧を提供する分離されたコントローラーモジュールパワーコンタクトを具備する複数個のコネクタコンタクトを具備する着脱式メモリカード。【選択図】  図１
2005044366.tif 000002
【特許請求の範囲】
【請求項１】
ＭＭＣ／ＳＤフォームファクター適用メモリカードにおいて、
ＵＳＢパワーコンタクトおよび分離された電圧源を前記ＭＭＣ／ＳＤフォームファクター適用メモリカードに提供する分離されたＭＭＣ／ＳＤパワーコンタクトを具備する複数個のコネクタコンタクトを具備するＭＭＣ／ＳＤフォームファクター適用メモリカード。
【請求項２】
前記ＭＭＣ／ＳＤフォームファクター適用メモリカードは、
ＭＭＣ／ＳＤフォームファクター適用単一ハウジングに含まれることを特徴とする請求項１に記載のＭＭＣ／ＳＤフォームファクター適用メモリカード。
【請求項３】
前記ＭＭＣ／ＳＤフォームファクター適用単一ハウジングは、
約３２ｍｍ×約２４ｍｍ×約１．４ｍｍの体積を持つことを特徴とする請求項２に記載のＭＭＣ／ＳＤフォームファクター適用メモリカード。
【請求項４】
前記ＵＳＢパワーコンタクトは、
前記ＭＭＣ／ＳＤフォームファクター適用単一ハウジングの傾斜面の端部にコネクタコンタクトを具備することを特徴とする請求項２に記載のＭＭＣ／ＳＤフォームファクター適用メモリカード。
【請求項５】
前記ＭＭＣ／ＳＤパワーコンタクトは、
ＭＭＣ／ＳＤフォームファクター適用単一ハウジングのストレートエッジの中央部にコネクタコンタクトを具備することを特徴とする請求項４に記載のＭＭＣ／ＳＤフォームファクター適用メモリカード。
【請求項６】
前記複数個のコネクタコンタクトは、
前記傾斜面の端部から前記ストレートエッジにＵＳＢまたはＭＭＣ／ＳＤ使用のために配列され、
前記複数個のコネクタコンタクトは、
ＵＳＢクロック出力／ＮＣ、第１ ＵＳＢデータ入力／ＣＭＤ入力、第１接地入力、ＭＭＣ／ＳＤパワー入力、ＵＳＢクロック入力／ＭＭＣクロック入力、第２接地入力、第２ ＵＳＢデータ入力／ＭＭＣデータ入力であることを特徴とする請求項５に記載のＭＭＣ／ＳＤフォームファクター適用メモリカード。
【請求項７】
ＭＭＣ／ＳＤフォームファクター適用メモリカードは、ＵＳＢパワーコンタクトに印加されるＵＳＢ電圧に応答して前記複数個のコネクタコンタクトを通じて印加されるＵＳＢインターフェースプロトコルによって動作するか、または、
ＭＭＣ／ＳＤパワーコンタクトに印加されるＭＭＣ／ＳＤ電圧に応答して前記複数個のコネクタコンタクトを通じて印加されるＭＭＣ／ＳＤインターフェースプロトコルによって動作することを特徴とする請求項１に記載のＭＭＣ／ＳＤフォームファクター適用メモリカード。
【請求項８】
接近のためのデータを保存する不揮発性メモリと、
前記複数個のコネクタコンタクトおよび前記不揮発性メモリに連結され、ＵＳＢパワーコンタクトに印加されるＵＳＢ電圧に応答するＵＳＢインターフェースプロトコルによって前記ＭＭＣ／ＳＤフォームファクター適用メモリカードをＵＳＢホスト装置に連結するＵＳＢインターフェースと、
前記複数個のコネクタコンタクトおよび前記不揮発性メモリに連結され、ＭＭＣ／ＳＤパワーコンタクトに印加されるＭＭＣ／ＳＤ電圧に応答するＭＭＣ／ＳＤインターフェースプロトコルによって前記ＭＭＣ／ＳＤフォームファクター適用メモリカードをＭＭＣ／ＳＤホスト装置に連結するＭＭＣインターフェースと、をさらに具備することを特徴とする請求項１に記載のＭＭＣ／ＳＤフォームファクター適用メモリカード。
【請求項９】
前記ＵＳＢ電圧および前記ＭＭＣ／ＳＤ電圧は相互排他的に印加されることを特徴とする請求項８に記載のＭＭＣ／ＳＤフォームファクター適用メモリカード。
【請求項１０】
ＵＳＢパワーピンと、
複数個の連結ピンと、
前記ＵＳＢパワーピンおよび前記連結ピンを通じて外部のホストと通信するコントローラと、を具備し、
前記コントローラは、
ＵＳＢホストとの通信を制御する第１コントローラモジュールと、
前記ＵＳＢホスト以外のホストとの通信を制御する第２コントローラモジュールと、を具備し、
前記第１コントローラモジュールは前記ＵＳＢパワーピンを通じて印加される電源電圧に応答して動作し、前記第２コントローラモジュールは前記複数個の連結ピンのうち電源ピンを通じて印加される電源電圧に応答して動作することを特徴とするメモリカード。
【請求項１１】
前記メモリカードは、
ＭＭＣであり、前記第２コントローラモジュールはＭＭＣコントローラモジュールであることを特徴とする請求項１０に記載のメモリカード。
【請求項１２】
前記第１コントローラモジュールおよび第２コントローラモジュールは、
前記複数個の連結ピンのうち接地ピンを共有することを特徴とする請求項１１に記載のメモリカード。
【請求項１３】
前記第１コントローラモジュールおよび前記第２コントローラモジュールは、
一方が動作すれば他の一方は動作しないことを特徴とする請求項１１に記載のメモリカード。
【請求項１４】
前記第１コントローラモジュールは、
前記複数個の連結ピンのうちクロックピンを通じてクロック信号を受信し、ＲＳＶピンを通じて前記クロック信号を出力し、コマンドピンを通じてデータを受信し、データピンを通じて反転データを受信することを特徴とする請求項１１に記載のメモリカード。
【請求項１５】
前記第１コントローラモジュールは、
前記ＵＳＢパワーピンを通じて印加される電源電圧のレベルを制御するレギュレータをさらに具備することを特徴とする請求項１１に記載のメモリカード。
【請求項１６】
ＭＭＣ／ＳＤフォームファクター適用メモリカードにインターフェースする複数個の第１コンタクトを具備するＭＭＣ／ＳＤフォームファクター適用メモリカードコネクタインターフェースと、
前記複数個の第１コンタクトに連結され、ＵＳＢ適用ホスト装置にインターフェースされる複数個の第２コンタクトを具備するＵＳＢコネクタインターフェースと、を具備することを特徴とするコネクタ。
【請求項１７】
前記複数個の第１コンタクトはＵＳＢまたはＭＭＣ／ＳＤ使用のために配列され、
前記複数個の第１コンタクトは、
ＵＳＢパワー入力、ＵＳＢクロック出力／ＮＣ、第１ ＵＳＢデータ入力／ＣＭＤ入力、第１接地入力、ＭＭＣ／ＳＤパワー入力、ＵＳＢクロック入力／ＭＭＣクロック入力、第２接地入力、第２ ＵＳＢデータ入力／ＭＭＣデータ入力であることを特徴とする請求項１６に記載のコネクタ。
【請求項１８】
前記ＵＳＢパワー入力に連結される電圧レギュレータと、
前記ＵＳＢパワー入力と前記第１および第２接地入力間に連結されるキャパシタと、
前記ＵＳＢ入力と出力クロック間に連結されるオシレータ回路と、
前記第１ ＵＳＢデータ入力に連結される第１インピダンスマッチング抵抗と、
前記第２ ＵＳＢデータ入力に連結される第２インピダンスマッチング抵抗と、をさらに具備することを特徴とする請求項１７に記載のコネクタ。
【請求項１９】
前記ＭＭＣ／ＳＤフォームファクター適用メモリカードコネクタインターフェースはＭＭＣ／ＳＤ適用単一ハウジングに着脱自在に連結されることを特徴とする請求項１７に記載のコネクタ。
【請求項２０】
前記着脱式ＭＭＣ／ＳＤフォームファクター適用単一ハウジングは、
約３２ｍｍ×約２４ｍｍ×約１．４ｍｍの体積を持つことを特徴とする請求項１９に記載のＭＭＣ／ＳＤフォームファクター適用メモリカード。
【請求項２１】
ＵＳＢパワーコンタクトおよび分離された電圧源を前記ＭＭＣ／ＳＤフォームファクター適用メモリカードに提供する分離されたＭＭＣ／ＳＤパワーコンタクトを具備する複数個のコネクタコンタクトを具備するＭＭＣ／ＳＤフォームファクター適用メモリカードと、
コネクタと、を具備し、前記コネクタは、
前記ＭＭＣ／ＳＤフォームファクター適用メモリカードにインターフェースする複数個の第１コンタクトを具備するＭＭＣ／ＳＤフォームファクター適用メモリカードコネクタインターフェースと、
前記複数個の第１コンタクトに連結され、ＵＳＢ適用ホスト装置にインターフェースされる複数個の第２コンタクトを具備するＵＳＢコネクタインターフェースと、を具備する着脱式メモリシステム。
【請求項２２】
前記ＵＳＢパワー入力に連結される電圧レギュレータと、
前記ＵＳＢパワー入力と前記第１および第２接地入力間に連結されるキャパシタと、
前記ＵＳＢ入力と出力クロック間に連結されるオシレータ回路と、
前記第１ ＵＳＢデータ入力に連結される第１インピダンスマッチング抵抗と、
前記第２ ＵＳＢデータ入力に連結される第２インピダンスマッチング抵抗と、をさらに具備することを特徴とする請求項２１に記載の着脱式メモリシステム。
【請求項２３】
前記ＭＭＣ／ＳＤフォームファクター適用メモリカードコネクタインターフェースは、ＭＭＣ／ＳＤフォームファクター適用メモリに着脱自在に連結されることを特徴とする請求項２１に記載の着脱式メモリシステム。
【請求項２４】
ＭＭＣ／ＳＤフォームファクター適用メモリカードをＵＳＢホスト装置にインターフェースする方法において、
前記ＵＳＢホストからのＵＳＢ電圧を前記ＭＭＣ／ＳＤフォームファクター適用メモリカードに印加する段階と、
前記ＵＳＢ電圧が印加される間にＭＭＣ／ＳＤ電圧を前記ＭＭＣ／ＳＤフォームファクター適用メモリカードに印加することを避ける段階と、
前記ＵＳＢホストから前記ＭＭＣ／ＳＤフォームファクター適用メモリカードに含まれたメモリへの接近を受信する段階と、
前記メモリへの接近を提供するために、前記ＭＭＣ／ＳＤフォームファクター適用メモリカードに含まれたＵＳＢホストから受信された信号をマッピングする段階と、を具備することを特徴とするインターフェース方法。
【請求項２５】
ＵＳＢコントローラーモジュールパワーコンタクトおよび着脱式メモリカードに相互排他的に印加される分離された電圧を提供する分離されたコントローラーモジュールパワーコンタクトを具備する複数個のコネクタコンタクトを具備することを特徴とする着脱式メモリカード。
【発明の詳細な説明】
【技術分野】
【０００１】
本発明はメモリカードに係り、特にＵＳＢ（Ｕｎｉｖｅｒｓａｌ Ｓｅｒｉａｌ Ｂｕｓ）連結のためのメモリカードとコネクタおよび連結システムに関する。
【背景技術】
【０００２】
一般的にＮＡＮＤフラッシュメモリカードとは、ＮＡＮＤフラッシュメモリに書込み／読出し動作を行えるあらゆる装置を総称する。例えば、ＮＡＮＤフラッシュメモリカードにはＭＭＣ（Ｍｕｌｔｉ Ｍｅｄｉａ Ｃａｒｄ）、ＳＤ（Ｓｅｃｕｒｅ Ｄｉｇｉｔａｌ）カード、ＣＦ（Ｃｏｍｐａｃｔ Ｆｌａｓｈ）カード、メモリスティックなどがある。あらゆるＮＡＮＤフラッシュメモリカードについて説明することは難しいため、以下では本発明ではＭＭＣを例として説明する。
【０００３】
既存のＭＭＣは、ＭＭＣホストとのみ通信できてパソコンおよびＵＳＢホストとの通信のためにはＵＳＢリーダという装置が必要である。ＵＳＢリーダは内部にＭＭＣインターフェース機能およびＵＳＢ機能を含んでいて高コストおよび大きいサイズを持つ。また既存のＭＭＣコントローラにＵＳＢ駆動機能を追加するためには、ＵＳＢ駆動クロックの基準を満たすためにＭＭＣコントローラは外部の安定したクロックを受信する必要がある。
【０００４】
しかし、ＭＭＣは、カード厚さの限界（１.４ｍｍ±０．１ｍｍ）によってクリスタルオシレータのようなクロック発生素子および一般的な素子（例えば、抵抗など）を追加できない問題がある。
【発明の開示】
【発明が解決しようとする課題】
【０００５】
本発明が解決しようとする技術的課題はＵＳＢと通信できるメモリカードを提供するところにある。
本発明が解決しようとする他の技術的課題は、メモリカードとＵＳＢとを通信可能に連結するコネクタを提供するところにある。
本発明が解決しようとする他の技術的課題は、メモリカードとＵＳＢとを連結する連結システムを提供するところにある。
【課題を解決するための手段】
【０００６】
前記技術的課題を達成するための本発明の実施例によるＭＭＣ／ＳＤフォームファクター適用メモリカードは、ＵＳＢパワーコンタクトおよび分離された電圧源を前記ＭＭＣ／ＳＤフォームファクター適用メモリカードに提供する分離されたＭＭＣ／ＳＤパワーコンタクトを具備する複数個のコネクタコンタクトを具備する。
【０００７】
前記ＭＭＣ／ＳＤフォームファクター適用メモリカードはＭＭＣ／ＳＤフォームファクター適用単一ハウジングに含まれる。前記ＭＭＣ／ＳＤフォームファクター適用単一ハウジングは  約３２ｍｍ×約２４ｍｍ×約１．４ｍｍの体積を持つ。
【０００８】
前記ＵＳＢパワーコンタクトは、前記ＭＭＣ／ＳＤフォームファクター適用単一ハウジングの傾斜面の端部にコネクタコンタクトを具備する。前記ＭＭＣ／ＳＤパワーコンタクトは、ＭＭＣ／ＳＤフォームファクター適用単一ハウジングのストレートエッジの中央部にコネクタコンタクトを具備する。
【０００９】
前記複数個のコネクタコンタクトは、前記傾斜面の端部から前記ストレートエッジにＵＳＢまたはＭＭＣ／ＳＤ使用のために配列され、前記複数個のコネクタコンタクトは、ＵＳＢクロック出力／ＮＣ（Ｎｏ Ｃｏｎｎｅｃｔｉｏｎ）、第１ ＵＳＢデータ入力／ＣＭＤ入力、第１接地入力、ＭＭＣ／ＳＤパワー入力、ＵＳＢクロック入力／ＭＭＣクロック入力、第２接地入力、第２ ＵＳＢデータ入力／ＭＭＣデータ入力である。
【００１０】
ＭＭＣ／ＳＤフォームファクター適用メモリカードは、ＵＳＢパワーコンタクトに印加されるＵＳＢ電圧に応答して前記複数個のコネクタコンタクトを通じて印加されるＵＳＢインターフェースプロトコルによって動作するか、または、ＭＭＣ／ＳＤパワーコンタクトに印加されるＭＭＣ／ＳＤ電圧に応答して前記複数個のコネクタコンタクトを通じて印加されるＭＭＣ／ＳＤインターフェースプロトコルによって動作する。
【００１１】
前記ＭＭＣ／ＳＤフォームファクター適用メモリカードは、接近のためのデータを保存する不揮発性メモリと、前記複数個のコネクタコンタクトおよび前記不揮発性メモリに連結され、ＵＳＢパワーコンタクトに印加されるＵＳＢ電圧に応答するＵＳＢインターフェースプロトコルによって前記ＭＭＣ／ＳＤフォームファクター適用メモリカードをＵＳＢホスト装置に連結するＵＳＢインターフェースと、前記複数個のコネクタコンタクトおよび前記不揮発性メモリに連結され、ＭＭＣ／ＳＤパワーコンタクトに印加されるＭＭＣ／ＳＤ電圧に応答するＭＭＣ／ＳＤインターフェースプロトコルによって前記ＭＭＣ／ＳＤフォームファクター適用メモリカードをＭＭＣ／ＳＤホスト装置に連結するＭＭＣインターフェースとをさらに具備する。
【００１２】
前記ＵＳＢ電圧および前記ＭＭＣ／ＳＤ電圧は相互排他的に印加される。
前記他の技術的課題を達成するための本発明の実施例によるメモリカードは、ＵＳＢパワーピン、複数個の連結ピン、前記ＵＳＢパワーピンおよび前記連結ピンを通じて外部のホストと通信するコントローラを具備し、前記コントローラは、ＵＳＢホストとの通信を制御する第１コントローラモジュールおよび前記ＵＳＢホスト以外のホストとの通信を制御する第２コントローラモジュールを具備し、前記第１コントローラモジュールは前記ＵＳＢパワーピンを通じて印加される電源電圧に応答して動作し、前記第２コントローラモジュールは前記複数個の連結ピンのうち電源ピンを通じて印加される電源電圧に応答して動作する。
【００１３】
前記他の技術的課題を達成するための本発明の実施例によるコネクタは、ＭＭＣ／ＳＤフォームファクター適用メモリカードにインターフェースする複数個の第１コンタクトを具備するＭＭＣ／ＳＤフォームファクター適用メモリカードコネクタインターフェースと、前記複数個の第１コンタクトに連結され、ＵＳＢ適用ホスト装置にインターフェースされる複数個の第２コンタクトを具備するＵＳＢコネクタインターフェースとを具備する。
【００１４】
前記他の技術的課題を達成するための本発明の実施例による着脱式メモリシステムは、ＵＳＢパワーコンタクトおよび分離された電圧源を前記ＭＭＣ／ＳＤフォームファクター適用メモリカードに提供する分離されたＭＭＣ／ＳＤパワーコンタクトを具備する複数個のコネクタコンタクトを具備するＭＭＣ／ＳＤフォームファクター適用メモリカードおよびコネクタを具備し、前記コネクタは、前記ＭＭＣ／ＳＤフォームファクター適用メモリカードにインターフェースする複数個の第１コンタクトを具備するＭＭＣ／ＳＤフォームファクター適用メモリカードコネクタインターフェースと、前記複数個の第１コンタクトに連結され、ＵＳＢ適用ホスト装置にインターフェースされる複数個の第２コンタクトを具備するＵＳＢコネクタインターフェースとを具備する。
【００１５】
前記他の技術的課題を達成するための本発明の実施例によるＭＭＣ／ＳＤフォームファクター適用メモリカードをＵＳＢホスト装置にインターフェースする方法は、前記ＵＳＢホストからのＵＳＢ電圧を前記ＭＭＣ／ＳＤフォームファクター適用メモリカードに印加する段階と、前記ＵＳＢ電圧が印加される間にＭＭＣ／ＳＤ電圧を前記ＭＭＣ／ＳＤフォームファクター適用メモリカードに印加することを避ける段階と、前記ＵＳＢホストから前記ＭＭＣ／ＳＤフォームファクター適用メモリカードに含まれたメモリへの接近を受信する段階と、前記メモリへの接近を提供するために、前記ＭＭＣ／ＳＤフォームファクター適用メモリカードに含まれたＵＳＢホストから受信された信号をマッピングする段階とを具備する。
【００１６】
前記他の技術的課題を達成するための本発明の他の実施例による着脱式メモリカードは、ＵＳＢコントローラーモジュールパワーコンタクトおよび着脱式メモリカードに相互排他的に印加される分離された電圧を提供する分離されたコントローラーモジュールパワーコンタクトを具備する複数個のコネクタコンタクトを具備する。
【発明の効果】
【００１７】
本発明によるメモリカード、コネクタおよびメモリカードとＵＳＢとの連結システムは、メモリカードとＵＳＢホストとの通信を可能にすることによってメモリカードの拡張性および効用性を高めうる長所がある。
【発明を実施するための最良の形態】
【００１８】
本発明と本発明の動作上の利点および本発明の実施によって達成される目的を十分に理解するためには本発明の望ましい実施例を例示する添付図面および図面に記載された内容を参照せねばならない。
以下、添付した図面を参照して本発明の望ましい実施例を説明することによって、本発明を詳細に説明する。各図面に提示された同じ参照符号は同じ部材を表す。
【００１９】
図１は本発明の実施例によるメモリカードを説明する図面である。
図１を参照すれば、本発明の実施例によるメモリカード１００はＵＳＢパワーピン（またはコンタクト）８、複数個の連結ピン（またはコネクタコンタクト）１〜７およびコントローラ１１０を具備する。
ここで、“フォームファクター”とはメモリカードの物理的なサイズおよび形態を意味する。本発明の実施例によるメモリカードのフォームファクターは読出し器のおような他の装置と共に使われうるメモリカードのサイズおよび形態を持つＭＭＣ／ＳＤメモリカードである。
【００２０】
ＳＤは当業者に公知のように、ＭＭＣ適用メモリカードをＳＤ適用装置と共に使用できるＭＭＣ規格の最新バージョンである。
ＭＭＣ／ＳＤフォームファクター適用装置は約３２ｍｍ×約２４ｍｍ×約１．４ｍｍの大きさを持ち、図１および図４に図示される。ＭＭＣおよびＳＤ規格は“ｗｗｗ．ｍｍｃａ．ｏｒｇ”でさらに議論される。
【００２１】
本発明の実施例によるメモリカード１００は多様であるが、説明の便宜のためにここではＭＭＣを中心に説明する。
コントローラ１１０はＵＳＢパワーピン８および連結ピン１〜７を通じて外部のホスト（図示せず）と通信する。コントローラ１１０はＵＳＢホスト（図示せず）との通信を制御する第１コントローラモジュール１２０およびＵＳＢホスト以外のホスト（図示せず）との通信を制御する第２コントローラモジュール１３０（例えば、ＭＭＣインターフェースコントローラ）を具備する。
【００２２】
第１コントローラモジュール１２０はＵＳＢパワーピン８を通じて印加される電源電圧に応答して動作し、第２コントローラモジュール１３０は複数個の連結ピン１〜７のうち電源電圧ピン４を通じて印加される電源電圧に応答して動作する。第２コントローラモジュール１３０はＭＭＣコントローラモジュールである。
【００２３】
以下、図１を利用して本発明の実施例によるメモリカード１００の動作を詳細に説明する。
メモリカード１００は外部のＵＳＢホスト（図示せず）から電源電圧を受信するための別途のピンであるＵＳＢパワーピン８を具備する。
実施例で、ＵＳＢパワーピン８はメモリカードの傾斜面の端部に配置され、他のピンはメモリカードのストレートエッジに配置される。また、ＵＳＢパワーピン８はエッジの反対側に配置されることもある。
【００２４】
第１コントローラモジュール１２０はＵＳＢパワーピン８を通じてＵＳＢホスト（図示せず）から印加される電源電圧に応答して動作する。第２コントローラモジュール１３０は外部のＭＭＣホスト（図示せず）から供給される電源電圧に応答して動作する。ＵＳＢパワーピン８と、第２コントローラモジュール１３０に電源電圧を印加するピンとは分離されている。そして、第１コントローラモジュール１２０および第２コントローラモジュール１３０は、一方が電源電圧を受信して動作すれば他の一方は動作しない。
【００２５】
すなわち、第１コントローラモジュール１２０および第２コントローラモジュール１３０の動作は特別な認識プロトコルにより区分するものではなく印加される電源電圧を分離させて区分する。結局、メモリカード１００上では互いに連結されているが、電源電圧の供給が完全に分離されているため、相互干渉現象は存在しない。
【００２６】
第１コントローラモジュール１２０が動作する場合に第２コントローラモジュール１３０は電力を消費せず、第２コントローラモジュール１３０が動作する場合に第１コントローラモジュール１２０は電力を消費しない。図２は図１のメモリカードのピン構成を説明する図表である。
【００２７】
以下、図１および図２を参照して第１コントローラモジュール１２０および第２コントローラモジュール１３０のピン連結状態を説明する。
メモリカード１００のピン構成を説明すれば、連結ピン１〜７はＲＳＶピン１、コマンドピン２、接地ピン３、６、電源電圧ピン４、クロックピン５およびデータ７ピンを具備する。メモリカード１００がＵＳＢホスト（図示せず）以外の外部ホスト（図示せず）に連結される場合、すなわち、第２コントローラモジュール１３０が用いられる場合、連結ピン１〜７のうちＲＳＶピン１は連結されずに命令ピン２、接地ピン３、６、クロックピン５およびデータピン７が連結される。メモリカード１００が外部のＵＳＢホスト（図示せず）と連結される場合、すなわち、第１コントローラモジュール１２０が用いられる場合、第１コントローラモジュール１２０は複数個の連結ピン１〜７のうちクロックピン５を通じてクロック信号を受信し、ＲＳＶピン１を通じてクロック信号を出力する。
【００２８】
メモリカード１００がクリスタルオシレータ（図示せず）によって発生するクロック信号を受信する場合にはクロック信号の入力および出力のためにクロックピン５とＲＳＶピン１とがいずれも用いられるが、オシレータから発生するクロック信号を受信する場合にはクロックピン５とＲＳＶピン１のうち一つだけ用いられる。そして、コマンドピン２を通じてデータを受信し、データピン７を通じて反転データを受信する。第１コントローラモジュール１２０は、ＵＳＢホスト（図示せず）から印加される電源電圧をＵＳＢパワーピン８を通じて受信する。
【００２９】
第１コントローラモジュール１２０および第２コントローラモジュール１３０は複数個の連結ピン１〜７のうち接地ピン３、６を共有する。
第１コントローラモジュール１２０はＵＳＢパワーピン８を通じて印加される電源電圧のレベルを制御するレギュレータ（図示せず）をさらに具備できる。ＵＳＢホストの電源電圧レベルは普通５Ｖであるが、レギュレータ（図示せず）はこれを３．３Ｖに転換させる機能をする。レギュレータ（図示せず）を外部に配置し、第１コントローラモジュール１２０はレギュレータを通過した電源電圧を受信することもできる。レギュレータ（図示せず）が外部に配置される場合にはＵＳＢパワーピン８を通じて３．３Ｖの電源電圧が受信され、レギュレータ（図示せず）が第１コントローラモジュール１２０に配置される場合にはＵＳＢパワーピン８を通じて５Ｖ電源電圧が受信される。
【００３０】
第１コントローラモジュール１２０および第２コントローラモジュール１３０を除外したメモリカード１００のコントローラ１１０の他のロジック（図示せず）の電源電圧は、ＵＳＢパワーピン８または連結ピン１〜７のうち電源電圧ピン４を通じて受信される。
メモリカード１００内部のＮＡＮＤフラッシュメモリ１４０に供給される電源電圧はＵＳＢパワーピン８または連結ピン１〜７のうち電源電圧ピン４を通じて直接受信されるか、またはコントローラ１１０を通じて受信される。図１のメモリカード１００が外部のＵＳＢホスト（図示せず）に連結されて動作するためにはクロック発生のためのオシレータや抵抗などが必要であるが、このような素子はメモリカード１００の厚さのためにメモリカード１００に配置され難い。
【００３１】
したがって、このような素子を装着してメモリカード１００と外部のＵＳＢホスト（図示せず）との通信を連結できるコネクタが必要である。コネクタについては後述する。
【００３２】
図３は、本発明の実施例によるコネクタを説明する図面である。
図３を参照すれば、本発明の実施例によるコネクタ３００は、ＵＳＢパワー供給ピン３８、複数個の供給連結ピン３１〜３７およびＵＳＢインターフェース３１０を具備する。
【００３３】
コネクタ３００は、ＵＳＢパワー供給ピン３８および供給連結ピン３１〜３７を通じて外部のメモリカード（図示せず）と通信し、ＵＳＢインターフェース３１０を通じて外部のＵＳＢホスト（図示せず）と通信する。コネクタ３００は、メモリカード（図示せず）にクロック信号を印加するクロック発振回路３２０およびＵＳＢホスト（図示せず）から印加されるデータおよび反転データのインピダンスマッチングのためのインピダンスマッチング部３３０を具備する。
【００３４】
クロック発振回路３２０はオシレータまたはクリスタルオシレータである。クリスタルオシレータは複数個の供給連結ピン３１〜３７のうち連結クロック出力ピン３１と連結クロック入力ピン３５間に連結される。クリスタルオシレータは連結クロック出力ピン３１を通じてメモリカード（図示せず）にクロック信号を出力し、連結クロック入力ピン３５を通じてクロック信号を受信する。
【００３５】
もしクロック発振回路３２０がオシレータであれば、クロック信号は連結クロック出力ピン３１と連結クロック入力ピン３５のうち一つを通じてメモリカード（図示せず）に印加される。
【００３６】
インピダンスマッチング部３３０は第１抵抗Ｒ１および第２抵抗Ｒ２を具備する。第１抵抗Ｒ１は複数個の供給連結ピン３１〜３７のうち連結データピン３２とＵＳＢインターフェース３１０間に直列に連結される。第１抵抗Ｒ１は２２〜４４の抵抗値を持つ。
第２抵抗Ｒ２は複数個の供給連結ピン３１〜３７のうち連結反転データピン３７とＵＳＢインターフェース３１０間に直列に連結される。第２抵抗Ｒ２は２２〜４４の抵抗値を持つ。
【００３７】
外部のＵＳＢホスト（図示せず）からデータおよび反転データを受信するためにはデータおよび反転データが印加されるライン（図示せず）と、データおよび反転データを受信するラインのインピダンスとがマッチングされねばならない。したがって、第１抵抗Ｒ１および第２抵抗Ｒ２はインピダンスをマッチングさせるための抵抗である。
【００３８】
複数個の供給連結ピン３１〜３７のうち連結接地ピン３３、３６はＵＳＢインターフェース３１０と連結される外部ＵＳＢのシールド接地と連結される。ＵＳＢ通信のためのバスは一般的に４個であり、４個のバスを取り囲むケーブルの外部にシールド接地が存在する。シールド接地は連結接地ピン３３、３６と連結される。コネクタ３００で、ＵＳＢパワー供給ピン３８と複数個の供給連結ピン３１〜３７のうち連結接地ピン３３、３６間にＵＳＢパワー供給ピン３８を通じて伝送される電源電圧の安定化のためのキャパシタＣＡＰ１、ＣＡＰ２が連結される。
【００３９】
コネクタ３００は、ＵＳＢパワー供給ピン３８とＵＳＢインターフェース３１０間にＵＳＢパワー供給ピン３８を通じて印加される電源電圧のレベルを制御するレギュレータ３４０をさらに具備できる。
【００４０】
レギュレータ３４０は５Ｖの電源電圧レベルを３．３Ｖに転換させる。レギュレータ３４０はコネクタ３００に配置されることもあり、図１のメモリカード１００の第１コントローラモジュール１２０に配置されることもある。
【００４１】
一般的にＵＳＢ駆動ドライバーが最高速度で動作するためにはデータが印加されるバスに約３．３ｋΩのプルアップ抵抗を連結する必要がある。また、プールアップ抵抗が連結された装置がＵＳＢホスト（図示せず）に連結されれば、ＵＳＢホスト（図示せず）はＵＳＢクライアントが連結されたと認識する。本発明の実施例ではプールアップ抵抗はコネクタ３００に配置されない。その代わりに、プールアップ抵抗は図１のメモリカード１００の第１コントローラモジュール１２０のデータ入力バッファ（図示せず）のパッドに連結される。それは、図１のメモリカード１００の連結なしにコネクタ３００だけ単独でＵＳＢホスト（図示せず）に連結される場合の誤動作を防止するためである。
【００４２】
このように図３のコネクタ３００は、メモリカード（図示せず）の厚さのためにメモリカードに実装され得ないクロック発振回路３２０や第１および第２抵抗Ｒ１、Ｒ２などを具備し、メモリカード（図示せず）とＵＳＢホスト（図示せず）とを連結する。
【００４３】
図４は、本発明の実施例によるメモリカードとＵＳＢホストとの連結システムを説明する図面である。
図４を参照すれば、本発明の実施例による連結システムはメモリカード１００およびコネクタ３００を具備する。
メモリカード１００はＵＳＢホスト４２０との通信のための複数個の連結ピンおよび別途のＵＳＢパワーピンを具備する。コネクタ３００はＵＳＢパワー供給ピンおよび複数個の供給連結ピンを利用してメモリカード１００と通信し、ＵＳＢインターフェースを利用してＵＳＢホスト４２０と通信する。
【００４４】
メモリカード１００はコントローラを具備し、コントローラ１１０はＵＳＢホスト４２０との通信を制御する第１コントローラモジュール（図示せず）、およびＵＳＢホスト４２０以外のホスト４１０との通信を制御する第２コントローラモジュール（図示せず）を具備する。第１コントローラモジュール（図示せず）はＵＳＢパワーピンを通じて印加される電源電圧に応答して動作し、第２コントローラモジュール（図示せず）は複数個の連結ピンのうち電源ピンを通じて印加される電源電圧に応答して動作する。
【００４５】
コネクタ３００は、メモリカード１００にクロック信号を印加するクロック発振回路（図示せず）、ＵＳＢホスト４２０から印加されるデータおよび反転データのインピダンスマッチングのためのインピダンスマッチング部（図示せず）を具備する。
【００４６】
メモリカード１００に別途のＵＳＢパワーピンを一つ追加し、ＵＳＢホスト４２０から伝えられる電源電圧をコネクタ３００を通じてＵＳＢパワーピンに受信する。ＵＳＢパワーピンはメモリカード１００の(1)または(2)の位置に追加する。もし、メモリカード１００が高速ＭＭＣであれば(3)の位置に追加する。
【００４７】
メモリカード１００がコネクタ３００を通じてＵＳＢホスト４２０と連結される場合にメモリカード１００内部の第１コントローラモジュール１２０が動作する。メモリカード１００がＭＭＣホスト４１０と連結する場合にメモリカード１００内部の第２コントローラモジュール１３０が動作する。
メモリカード１００およびコネクタ３００の内部構造および動作については図１ないし図３を通じて説明されたので詳細な説明は省略する。
【００４８】
以上のように図面および明細書で最適の実施例が開示された。ここで特定の用語が使われたが、これは単に本発明を説明するための目的で使われたものであって意味限定や特許請求の範囲に記載された本発明の範囲を制限するために使われたものではない。したがって、本技術分野の当業者ならばこれより多様な変形および均等な他の実施例が可能であるという点を理解できる。したがって、本発明の真の技術的保護範囲は特許請求の範囲の技術的思想により定められねばならない。
【産業上の利用可能性】
【００４９】
本発明は、ＵＳＢなどのインターフェースを用いてメモリカードを連結するコネクタおよびメモリシステムに適用できる。
【図面の簡単な説明】
【００５０】
【図１】本発明の実施例によるＭＭＣ／ＳＤフォームファクター適用メモリカードを説明する図面である。
【図２】図１のメモリカードのピン構成を説明する図表である。
【図３】本発明の実施例によるＭＭＣ／ＳＤフォームファクター適用メモリカードコネクタを説明する図面である。
【図４】本発明の実施例によるコネクタ、ＭＭＣ／ＳＤフォームファクター適用メモリカードおよびＵＳＢホストの連結システムを説明する図面である。
【符号の説明】
【００５１】
１〜７    連結ピン（またはコネクタコンタクト）
８      ＵＳＢパワーピン（またはコンタクト）
１００  メモリカード
１１０  コントローラ
１２０  第１コントローラモジュール
１３０  第２コントローラモジュール
【図１】
2005044366.tif 000003
【図２】
2005044366.tif 000004
【図３】
2005044366.tif 000005
【図４】
2005044366.tif 000006